(57)【特許請求の範囲】
【請求項１】
複数の玄関子機と、前記複数の玄関子機が接続されるモニター付き親機と、前記モニター付き親機に接続される室内子機とを備えたテレビドアホン装置であって、前記モニター付き親機は、前記複数の玄関子機からの着信信号をそれぞれ検出する着信検出回路と、前記着信検出回路による前記玄関子機からの着信信号の検出に基づいて、着信音の鳴動及びモニター映像起動をさせる着信動作を制御する制御回路と、前記複数の玄関子機からの着信に対して着信動作をするか否かを指定して前記制御回路に入力する子機選択スイッチと、前記玄関子機からの着信をデータで送信するデータ送受回路と、を備え、前記子機選択スイッチにより予め設定された玄関子機からの着信に対してのみ着信動作を行い、前記室内子機に対しては全ての玄関子機からの着信データを前記データ送受回路を介して送出することを特徴とするテレビドアホン装置。
【請求項２】
前記モニター付き親機は、増設チャイム等を接続するための無電圧接点を有し、前記制御回路が、前記子機選択スイッチにより予め設定された玄関子機からの着信に対してのみ着信音に連動して前記無電圧接点を動作させるようにしたことを特徴とする請求項１記載のテレビドアホン装置。
【請求項３】
前記モニター付き親機は、インターホンを接続するインターホンＩ／Ｆ回路を有し、前記制御回路が、前記子機選択スイッチにより予め設定された玄関子機からの着信に対してのみ前記インターホンＩ／Ｆ回路を介して前記インターホンに着信信号を送出するようにしたことを特徴とする請求項１記載のテレビドアホン装置。
【請求項４】
前記モニター親機は、前記玄関子機の呼出ボタンが所定時間以上押し続けられたときに、前記玄関子機から入力される音声を拡声させるための拡声回路を有し、前記制御回路が、前記子機選択スイッチにより予め設定された玄関子機からの着信に対してのみ前記拡声回路を動作させるようにしたことを特徴とする請求項１記載のテレビドアホン装置。
【請求項５】
前記室内子機は、前記複数の玄関子機からの着信に対して着信動作するか否かを指定する別の子機選択スイッチを備え、前記モニター付き親機から送られた着信データを受信して、前記別の子機選択スイッチにより予め設定された玄関子機からの着信に対してのみ着信動作を行うことを特徴とする請求項１記載のテレビドアホン装置。
【発明の詳細な説明】
【０００１】
【発明の属する技術分野】
本発明は、複数世帯同居の住居に用いるために設置する複数のカメラ付き玄関子機によってそれぞれの戸外の来客の様子を屋内に写出し、この映像によって戸外の来客を確認し得るようにしたテレビドアホン装置に関する。
【０００２】
【従来の技術】
従来、この種のテレビドアホン装置は、例えば特開平８ー６５６５７号公報に記載されたものが知られている。
【０００３】
図２は、このような従来におけるテレビドアホン装置の構成を示している。図２において、１及び２は、カメラ付き玄関子機であり、これらカメラ付き玄関子機１、２は、モニター付き親機３に２線で接続している。又、４は、通常のカメラ無し玄関子機であり、このカメラ無し玄関子機４も、モニター付き親機３に接続している。
【０００４】
５は、カメラ付き玄関子機１又は２から送出される変調信号を復調する映像復調回路で、映像復調回路５は、ＣＲＴディスプレイ６に接続されている。７は、商業電源（ＡＣ１００Ｖ）に接続している電源回路である。
【０００５】
８は、着信検出回路９、着信鳴動回路１０、インターホン・インターフェース（Ｉ／Ｆ）回路１１、無電圧接点回路１２、拡声回路１３、カメラ給電回路１６、データ送受回路１７に接続されている制御回路である。この制御回路８には、ＦＭ変調回路２０を介してモニター付き室内子機１９に２線により接続されている。
【０００６】
次に、上記従来例の動作について説明する。図２において、来客によって、カメラ付き玄関子機１又は２のどちらかの呼出ボタンが押されると、２線を介して、モニター付き親機３の着信検出回路９にカメラ付き玄関子機１又は２の着信信号が入力され、制御回路８には、着信音の鳴動及びモニター映像起動を行う着信起動がかけられる。この結果、着信鳴動回路１０へ着信音（ピンポン）を送出すると共にカメラ給電回路１６に起動がかかり、カメラ付き玄関子機１又は２に給電が開始される。
【０００７】
又、制御回路８は、ＣＲＴディスプレイ６に電源を給電して起動をかけ、カメラ付き玄関子機１又は２から送出される変調信号を映像復調回路５で受信し、この受信に伴って、ＣＲＴディスプレイ６は復調された映像信号を移し出すと共に、カメラ付き玄関子機１又は２から送出された変調信号は、ＦＭ変調回路２０を介して、モニター付き室内子機１９に対しても出力される。
【０００８】
更に、着信起動がかけられた制御回路８は、無電圧接点回路１２に対して、着信検出回路９が検出した着信信号によって着信鳴動回路１０への着信音送出等と同じタイミングで、無電圧接点を閉結するように起動をかかる。
【０００９】
更に又、制御回路８は、インターホンＩ／Ｆ回路１１に対して、同様に、その後ろに接続されているインターホン２１に対して出力するよう起動をかける。
【００１０】
と共に、制御回路８は、モニター付き室内子機１９がデータ送受回路１７を介しても接続されているために、このモニター付き室内子機１９に、カメラ付き玄関子機１又は２のうちどれからの着信かについてのデータを通知する。この結果、モニター付き室内子機１９は、受話器１５をあげれば、通話回路１４を介して、着信しているカメラ付き玄関子機との間で、通話をすることができる。
【００１１】
又、カメラ付き玄関子機１又は２の呼出ボタンが押し続けられた場合、映像信号にその情報が付与された場合、この情報を映像復調回路５で検出し、制御回路８に伝える。すると、制御回路８は、拡声回路１３に起動を与え、カメラ付き玄関子機１又は２側の音声を拡声し、スピーカーより送出する。
【００１２】
このように、上記従来のテレビドアホン装置は、着信によって来客の映像を映し出し、着信音を鳴動させると共に、接続されたインターホンやモニター付き室内子機に着信起動をかけ、無電圧接点を閉結させることができる。
【００１３】
【発明が解決しようとする課題】
しかしながら、このような従来のテレビドアホン装置では、来客が呼出ボタンを押した場合、子供が寝ている等室内騒音をなるべく小さくしなければならないとう在宅者の都合に関係なく、着信音を鳴動し、映像が起動していた。この場合、たとえ着信音量をオフにして、室内間通話専用に使用しようとしても、映像が起動し、来客を知らしめていた。
【００１４】
又、最近増加している二世帯以上複数世帯の同居住宅において、親所帯、子供所帯や孫所帯等毎にテレビ付き玄関子機を別々に設置した場合、例えば子供所帯への来客でも、親所帯や孫所帯等のモニター付き親機３も着信音を鳴動し、映像が起動してしまうため、子供所帯への来客が誰であるかが、親所帯へも知られてしまったり、夜遅く帰宅した場合、就寝している他所帯へも着信音が鳴動してしまうこととなる。
【００１５】
そこで、本発明は、上記課題を解決するもので、複数のカメラ付き玄関子機を接続し得るモニター付き親機側とモニター付き室内子機側の設定によって指定されたカメラ付き玄関子機以外から着信しても、着信音を鳴動させず、映像も起動させないことができ、在宅者の都合によっては、簡易的な二世帯住宅等にも使用できるテレビドアホン装置を提供することを目的としている。
【００１６】
【課題を解決するための手段】
本発明は、この課題を解決するために、複数の玄関子機を接続し得るモニター付き親機の制御回路又は室内子機側に、前記複数の玄関子機を選択してどの玄関子機に着信動作をさせるか予め設定する子機選択スイッチを備えて構成して、この設定スイッチにより指定された玄関子機のみの着信だけを検出して、着信音を鳴動させ、来客の映像を写し出させるようにした。
【００１７】
【発明の実施の形態】
請求項１記載の発明は、複数の玄関子機と、この複数の玄関子機が接続されるモニター付き親機と、このモニター付き親機に接続される室内子機とを備えたテレビドアホン装置において、モニター付き親機は、複数の玄関子機からの着信信号をそれぞれ検出する着信検出回路と、この着信検出回路による玄関子機からの着信信号の検出に基づいて、着信音の鳴動及びモニター映像起動をさせる着信動作を制御する制御回路と、複数の玄関子機からの着信に対して着信動作をするか否かを指定して制御回路に入力する子機選択スイッチと、玄関子機からの着信をデータで送信するデータ送受回路と、を備え、子機選択スイッチにより予め設定された玄関子機からの着信に対してのみ着信動作を行い、室内子機に対しては全ての玄関子機からの着信データをデータ送受回路を介して送出するように構成している。
【００１８】
この結果、モニター付き親機は、子機選択スイッチにより予め設定された玄関子機からの着信に対してのみ着信動作を行って、着信音を鳴動させ、来客の映像を写し出すこととなり、室内子機は全ての玄関子機からの着信データを受信するので他の玄関子機からの着信に対しても着信動作することとなる。
【００１９】
請求項２記載の発明は、請求項１記載の発明において、モニター付き親機が、増設チャイム等を接続するための無電圧接点を有し、制御回路が、子機選択スイッチにより予め設定された玄関子機からの着信に対してのみ着信音に連動して無電圧接点を動作させるように構成している。
【００２０】
この結果、子機選択スイッチの設定により指定した玄関子機のみの着信だけを検出して、無電圧接点回路の出力端子に接続された増設チャイム等に着信起動をかけるという作用を有することとなる。
【００２１】
請求項３記載の本発明は、請求項１記載の発明において、モニター付き親機が、インターホンを接続するインターホンＩ／Ｆ回路を有し、制御回路が、子機選択スイッチにより予め設定された玄関子機からの着信に対してのみインターホンＩ／Ｆ回路を介してインターホンに着信信号を送出するように構成している。
【００２２】
この結果、子機選択スイッチの設定により指定した玄関子機からの着信に対する着信信号をインターホンに対して送出し、それ以外の玄関子機の着信に対する着信信号を送出しないという作用を有する。
【００２３】
請求項４記載の本発明は、請求項１記載の発明において、モニター親機が、玄関子機の呼出ボタンが所定時間以上押し続けられたときに、この玄関子機から入力される音声を拡声させるための拡声回路を有し、制御回路が、子機選択スイッチにより予め設定された玄関子機からの着信に対してのみこの拡声回路を動作させるようにして構成している。
【００２４】
この結果、子機選択スイッチの設定により指定した玄関子機からの着信で、しかも呼出ボタンが押し続けられている場合のみ、拡声回路を動作させてこの玄関子機からの音声を拡声して、モニター付き親機側のスピーカより送出するという作用を有する。
【００２５】
請求項５記載の本発明は、請求項１記載の発明において、室内子機が、複数の玄関子機からの着信に対して着信動作するか否かを指定する別の子機選択スイッチを備え、モニター付き親機から送られた着信データを受信して、この別の子機選択スイッチにより予め設定された玄関子機からの着信に対してのみ着信動作を行うように構成している。
【００２６】
この結果、室内子機は、モニター付き親機の子機選択スイッチとは別の子機選択スイッチの設定により指定した玄関子機のみの着信をモニター付き親機からのデータで検出し、着信音を鳴動させ、来訪者の映像を写し出すという作用を有する。
【００２７】
図１は、本発明の実施の形態のテレビドアホン装置のブロック図を示すものである。
【００２８】
図１において、５１及び５２は、カメラ付き玄関子機であり、これらカメラ付き玄関子機５１、５２はモニター付き親機５３に２線で接続している。又、５４は、通常のカメラ無し玄関子機であり、このカメラ無し玄関子機５４は、カメラ付き玄関子機５１又は５２が接続されていない場合のみ、モニター付き親機５３に接続されるようになっている。
【００２９】
５５は、カメラ付き玄関子機５１又は５２から送出される変調信号を復調する映像復調回路で、この映像復調回路５５は、ＣＲＴディスプレイ５６（偏平ブラウン管）に接続されている。５７は、商業電源（ＡＣ１００Ｖ）に接続している電源回路である。
【００３０】
５８は、着信検出回路５９、着信鳴動回路６０、インターホンＩ／Ｆ回路６１、無電圧接点回路６２、拡声回路６３、カメラ給電回路６６及びデータ送受回路６７に接続されている制御回路（ＣＰＵ）である。この制御回路５８には、ＦＭ変調回路７０を介してモニター付き室内子機５９に２線により接続されている。
【００３１】
６８は、カメラ付き玄関子機５１、５２（又はカメラ無し玄関子機５４）を選択して、カメラ付き玄関子機５１又は５２のいずれ（又はカメラ無し玄関子機５４）の着信信号を着信検出回路５９が検出した場合に、着信音の鳴動及びモニター映像起動をさせる着信動作をさせるか、予め指定する子機選択スイッチであり、前記制御回路５８に接続している。
【００３２】
６４は、通話回路で、受話器６５に接続されている。
【００３３】
以上のように構成された実施の形態によれば、まず、予め子機選択スイッチ６８により、カメラ付き玄関子機５１又は５２のいずれを指定しておくのであるが、以下の説明では、カメラ付き玄関子機５２が指定された場合を説明する。
【００３４】
即ち、子機選択スイッチ６８により、カメラ付き玄関子機５２を指定した場合、来客によってカメラ付き玄関子機５２の呼出ボタンが押されると、２線を介して、モニター付き親機５３の着信検出回路５９に着信信号が入力され、制御回路５８に起動がかけられる。この結果、起動をかけられた制御回路５８は、着信鳴動回路６０へ着信音（ピンポン）を送出し、又、カメラ給電回路６６に起動をかけ、カメラ付き玄関子機５１に給電され、ＣＲＴディスプレイ５６に電源を給電して、ＣＲＴディスプレイ５６を立ち上げる着信動作を行う。
【００３５】
更に、カメラ付き玄関子機５１から送出された変調信号は、ＦＭ変調回路７０を介して、モニター付き室内子機６９に送出される。
【００３６】
又、着信起動をかけられた制御回路５８は、無電圧接点回路６２に対しても、その無電圧接点を閉結させて、無電圧接点回路６２に接続されている増設チャイム（不図示）等に着信起動をかけ、又、インターホンＩ／Ｆ回路６１に対しても、同じように着信信号を後ろに接続されているインターホン７１に対して出力する事となる。
【００３７】
更に、制御回路５８は、データ送受回路６７を介して接続されているモニター付き室内子機６９に対しても、どのカメラ付き玄関子機（この場合、カメラ付き玄関子機５１）からの着信かということをデータにて知らせる。これによって、カメラ付き玄関子機５２を着信するように設定されたモニター付き室内子機６９は、着信を検出し、着信音を鳴動させ、変調信号を受信して復調し、電源供給によって起動がかけられたモニター付き室内子機側のＣＲＴディスプレイ（不図示）に来訪者の映像を写し出す。
【００３８】
又、カメラ付き玄関子機５２の呼出ボタンを所定時間以上押し続けた場合、映像信号にその旨の情報が付与され、映像復調回路５５で前記情報を検出し、制御回路５８に伝える。制御回路５８は、これを受けても、拡声回路６３に対して、起動を与え、カメラ付き玄関子機５２側の音声を拡声しスピーカーより送出することとなる。
【００３９】
次に、来客によってカメラ付き玄関子機５１の呼出ボタンが押された場合には、この着信信号が２線を介して、モニター付き親機５３の着信検出回路５９に入力され、制御回路５８に起動がかけられる。しかし、起動をかけられた制御回路５８は、着信鳴動回路６０へ着信音（ピンポン）を送出しない。又、制御回路５８は、カメラ給電回路６６に起動をかけ、カメラ付き玄関子機５１に給電されるも、ＣＲＴディスプレイ５６に電源を給電しないので、ＣＲＴディスプレイ５６は立ち上がらないこととなる。
【００４０】
ただ、カメラ付き玄関子機５１から送出された変調信号は、ＦＭ変調回路７０を介して、モニター付き室内子機６９に送出される。
【００４１】
又、着信起動をかけられた制御回路５８は、無電圧接点回路６２に対しても、その無電圧接点を閉結させず、又、インターホンＩ／Ｆ回路６１に対しても、同じように着信信号を後ろに接続されているインターホン７１に対して出力しないようにしている。
【００４２】
更に、制御回路５８は、データ送受回路６７を介して接続されているモニター付き室内子機６９に対しても、どのカメラ付き玄関子機（この場合、カメラ付き玄関子機５１）からの着信かということをデータにて知らせる。これによって、カメラ付き玄関子機５１を着信するように設定されたモニター付き室内子機６９は、着信を検出し、着信音を鳴動させ、変調信号を受信して復調し、電源供給によって起動がかけられたモニター付き室内子機側のＣＲＴディスプレイ（不図示）に来訪者の映像を写し出す。
【００４３】
又、カメラ付き玄関子機５１の呼出ボタンを所定時間以上押し続けた場合、映像信号にその旨の情報が付与され、映像復調回路５５で前記情報を検出し、制御回路５８に伝える。制御回路５８は、これを受けても、拡声回路６３に対して、起動を与えないため、カメラ付き玄関子機５１側の音声を拡声しスピーカーより送出することはない。
【００４４】
以上のように、本発明の実施の形態によれば、複数の玄関子機（カメラ付き玄関子機５１、５２或いはカメラ無し玄関子機５４）を接続し得るモニター付き親機５３において、予め設定された玄関子機だけ、着信を検出し、来客の映像を写し出し、着信音を鳴動させると共に、接続されたインターホン７１やモニター付き室内子機６９に着信起動をかけ、無電圧接点回路６２の無電圧接点を閉結させることができる。
【００４５】
又、モニター付き親機５３とモニター付き室内子機６９で指定の玄関子機が異なって、指定していない玄関子機からの着信をモニター付き親機５３で受けても、このモニター付き親機５３は、玄関子機への給電を行い、着信信号と映像変調信号を後ろに接続されたモニター付き室内子機６９へ送出するので、モニター付き室内子機６９側は通常通り着信動作を行うことができる。
【００４６】
なお、上記の実施の形態では、室内子機として、モニター付き室内子機６９に限定した例であるが、これに限定されず、モニター無し室内子機についても、同様に実施可能であり、又、子機選択スイッチ６８は、室内子機側に備えても良い。
【００４７】
【発明の効果】
以上のように本発明によれば、テレビドアホン装置を、複数世帯同居住宅で、各世帯がそれぞれに独自に使用したい場合でも、モニター付き親機又は室内子機（モニター付き又はモニター無し室内子機）の設定により、それぞれの玄関子機からの着信を区別でき、且つ、モニター付き親機室内子機と室内子機間（世帯間）でも、室内間通話ができるため、複数のシステムを導入する必要がなく、安価なシステムで対応できるという有利な効果を発揮し得るものである。
【図面の簡単な説明】
【図１】本発明の実施の形態におけるテレビドアホン装置の概略ブロック図
【図２】従来例におけるテレビドアホン装置の概略ブロック図
【符号の説明】
５１、５２  カメラ付き玄関子機
５３  モニター親機
５４  カメラ無し玄関子機（玄関子機）
５５  映像復調回路
５６  ＣＲＴディスプレイ
５７  電源回路
５８  制御回路（ＣＰＵ）
５９  着信検出回路
６０  着信鳴動回路
６１  インターホンＩ／Ｆ回路
６２  無電圧接点回路
６３  拡声回路
６４  通話回路
６５  受話器
６６  カメラ給電回路
６７  データ送受回路
６８  子機選択スイッチ
６９  モニター付き室内子機（室内子機）
７０  ＦＭ変調回路
【図１】
0003596649.tif 000002
【図２】
0003596649.tif 000003